(57)【要約】【課題】外部電源を利用して車両に、好ましい量の熱エネルギーの蓄積を行うことが可能であり、かつ車両が移動した場所においても、外部電源を利用して車両に好ましい量の熱エネルギーの蓄積を行うことが可能となる車両用熱管理装置を提供する。【解決手段】蓄電池２電力で走行する車両１の車両用熱管理装置は、熱エネルギーを蓄積する蓄電池２に、外部電源３０に接続された充電ケーブル４、および、充電装置６を用いて熱エネルギーを蓄積する。蓄積された後において、温調部（１２、３１、１５、１７）と、蓄積された熱エネルギーを利用して車室内を空調する車室内空調部（１２、２２、２３）とが共に作動する。温調部を制御して車両走行前の状態での蓄電池２の温度が、車両内のセンサ情報によらず外部情報（屋外情報）を利用して制御され、蓄積される熱エネルギー量が適切に調整される。【選択図】図３
2014061798.tif 000002
【特許請求の範囲】
【請求項１】
蓄電池（２）の電力を用いて走行する車両（１）の車両用熱管理装置であって、
車両内部に設けられ熱エネルギーを蓄積する熱エネルギー蓄積機器（２０）と、
前記車両外部の電源である外部電源（３０）に接続された充電ケーブル（４）および充電装置（６）を用いて前記熱エネルギー蓄積機器（２０）に熱エネルギーを蓄積する前記車両（１）に搭載された温調部（１２、３１、１５、１７）と、
前記熱エネルギー蓄積機器（２０）に蓄積された熱エネルギーを利用して前記車両（１）の車室内を空調する車室内空調部（１２、２２、２３）と、
前記充電ケーブルが前記車両に結合された状態で前記温調部（１２、３１、１５、１７）を介して前記熱エネルギー蓄積機器の温度を前記車両内のセンサ情報以外の外部情報を利用して制御する温調制御部（１００）と、を備えたことを特徴とする車両用熱管理装置。
【請求項２】
前記熱エネルギー蓄積機器（２０）は、前記蓄電池（２）、熱媒体を蓄える熱媒体収納容器、および、化学的に熱エネルギーを蓄える蓄熱器のいずれかから成り前記温調部に配管またはダクトを介して接続されていることを特徴とする請求項１に記載の車両用熱管理装置。
【請求項３】
前記熱エネルギー蓄積機器（２０）は、前記蓄電池（２）から成り、該蓄電池（２）は電池セルの集合体ならびに前記電池セルの集合体を収容する容器から成ることを特徴とする請求項２に記載の車両用熱管理装置。
【請求項４】
前記熱エネルギー蓄積機器（２０）の温度は、前記外部情報から得られた外気温度と日射量とに相関のある物理情報に基づいて、前記温調部（１２、３１、１５、１７）によって制御され、前記外部情報により前記外気温度が高く、かつ前記日射量が多いと判定されたときに前記熱エネルギー蓄積機器に蓄積される温度が低い熱エネルギー量を多くし、前記車室内空調部の冷房をアシストする量を多めに設定し、前記外気温度が低く、かつ前記日射量が少ないと判定されたときに前記熱エネルギー蓄積機器に蓄積される温度が高い熱エネルギー量を多くし、前記車室内空調部の暖房をアシストする量を多めに設定することを特徴とする請求項１ないし３のいずれか一項に記載の車両用熱管理装置。
【請求項５】
前記物理情報に関連して前記温調制御部（１００）の運転モードを、前記熱エネルギー蓄積機器（２０）に前記温度が高い熱エネルギーを蓄積する蓄熱モードと、前記熱エネルギー蓄積機器（２０）を所定の温度範囲内に維持する温調モードと、前記熱エネルギー蓄積機器に前記温度が低い熱エネルギーを蓄積する蓄冷モードとのいずれかに切替えることを特徴とする請求項４に記載の車両用熱管理装置。
【請求項６】
前記外気温度が第１所定値（ｔ１℃）より低い場合は、前記日射量が大きくなるほど前記温調モードに設定される割合を多くし、
前記外気温度が前記第１所定値（ｔ１℃）より高温の第２所定値（ｔ２℃）より更に高い場合は、前記日射量が大きくなるほど前記蓄冷モードに設定される割合を多くすることを特徴とする請求項５に記載の車両用熱管理装置。
【請求項７】
前記車両（１）の乗員の空調操作を学習し、この学習結果に基づいて、前記蓄熱モードと前記温調モードと前記蓄冷モードとの各運転モードの切替えと前記外気温度と前記日射量との関係を規定する既定値を変更することを特徴とする請求項５または６に記載の車両用熱管理装置。
【請求項８】
前記車両が置かれた建屋の外部に設けられた太陽電池（３）から前記外部情報が前記車両内に取り込まれ、
前記外気温度と日射量とに相関のある物理情報は、前記太陽電池（３）の発電量および前記太陽電池が持つ太陽光パネル（９）の温度に基づいて算出されることを特徴とする請求項４ないし７のいずれか一項に記載の車両用熱管理装置。
【請求項９】
冷媒を流す電動圧縮機（１２）を備え、
前記電動圧縮機（１２）が前記温調部（１２、３１、１５、１７）と前記車室内空調部（１２、２２、２３）とにおいて共用されていることを特徴とする請求項１ないし８のいずれか一項に記載の車両用熱管理装置。
【請求項１０】
前記温調部（１２、３１、１５、１７）と、前記車室内空調部（１２、３１、１５、１７）とは、
前記熱エネルギー蓄積機器（２０）を加熱または冷却する媒体が流れる流路（２５）と、
前記媒体と熱交換する凝縮器（１５）と、
前記外部電源（３０）を用いて駆動され、前記凝縮器（１５）に冷媒を圧送し、前記凝縮器（１５）を加熱する前記電動圧縮機（１２）と、
前記凝縮器（１５）を経由した前記冷媒を膨張させる膨張手段（１６）と、
前記膨張手段（１６）を経由した前記冷媒と前記媒体とを熱交換する冷却器（１７）と、
前記冷却器（１７）または前記凝縮器（１５）を流れる前記媒体と外部空気の間で熱交換を行う外部熱交換器（１８）と、
前記熱エネルギー蓄積機器（２０）を流れる前記媒体を前記凝縮器（１５）に流すか前記冷却器（１７）に流すかを切替え、かつ前記外部熱交換器（１８）を流れる前記媒体を前記冷却器（１７）に流すか前記凝縮器（１５）に流すかを切替える流路切替手段（２１）と、
前記凝縮器（１５）を流れる前記媒体の熱により前記車室内を暖房する暖房手段（２２）と、
前記冷却器（１７）を流れる前記媒体の熱、または、前記冷却器（１７）と並列に流れる前記冷媒の熱により、前記車室内を冷房する冷房手段（２３）と、
を備えることを特徴とする請求項９に記載の車両用熱管理装置。
【請求項１１】
前記暖房手段（２２）は、前記凝縮器（１５）を通過した前記媒体で加熱され空調風と熱交換する室内暖房用熱交換器（２２）から成り、
前記冷房手段（２３）は、前記冷却器（１７）を通過した前記媒体で冷却され前記空調風と熱交換する室内冷房用熱交換器（２３）または前記冷却器（１７）と並列に流れる前記冷媒で冷却され前記空調風と熱交換する室内冷房用熱交換器（２３）から成ることを特徴とする請求項１０に記載の車両用熱管理装置。
【請求項１２】
前記外気温度と日射量とに相関のある物理情報は、前記車両内の通信機器と前記充電装置内の通信機器とを介して取得した通信ネットワーク上の情報である気象データベースからの情報に基づいて取得されることを特徴とする請求項４ないし８のいずれか一項に記載の車両用熱管理装置。
【請求項１３】
前記外気温度と日射量とに相関のある物理情報は、前記車両内の無線通信機器と、前記気象データベースに接続される前記車両の乗員の携帯無線端末とを介して取得した通信ネットワーク上の情報である気象データベースからの情報に基づいて取得されることを特徴とする請求項４ないし８のいずれか一項に記載の車両用熱管理装置。
【請求項１４】
前記外気温度と日射量とに相関のある物理情報は、前記車両と外部の車両との車々間通信を介して取得した通信ネットワーク上の情報である気象データベースからの情報に基づいて取得されることを特徴とする請求項４ないし８のいずれか一項に記載の車両用熱管理装置。
【発明の詳細な説明】
【技術分野】
【０００１】
本発明は、車両走行前において、車両内の熱エネルギー蓄積機器の蓄積エネルギーの状態を、外部電源を用いて所望の状態にすることができ、熱エネルギー蓄積機器に蓄積された蓄積エネルギーで車室内の空調をアシストできる車両用熱管理装置に関する。
【背景技術】
【０００２】
従来、特許文献１に記載のプレ空調装置が公知である。このプレ空調装置は、蓄冷器（車室内より低い温度を持つ熱エネルギーを蓄積する蓄熱器）を備えた車両用空調装置において、乗員乗車前に蓄冷器に蓄冷（熱エネルギーを蓄積）すると共に車室内を空調するものである。これにより、乗員が車両に乗車意思があるタイミングで蓄冷器から放冷（蓄積された熱エネルギーの放出および利用）することができ、バッテリ（蓄電池）に蓄えられた電力を大きく使用することなく車室内の空間を快適な温度まで下げることができる。
【先行技術文献】
【特許文献】
【０００３】
【特許文献１】特開２０１１−２４６０３０号公報
【発明の概要】
【発明が解決しようとする課題】
【０００４】
上記特許文献１の技術によると、家庭内において屋外に車両が駐車されている状況においては、車両内の熱エネルギー蓄積機器の蓄積エネルギーの状態を車両に搭載された日射センサおよび外気温度センサを使用して車外の暑い寒いにかかわる環境条件に応じた所望の状態にすることが可能である。そして寒い暑いが極端なほど蓄積される熱エネルギーの量を多くして空調に活用することができる。しかし、車両がショッピングセンター等において、屋内駐車場で急速充電されるような状況においては、車両に搭載された上記センサは役に立たない。
【０００５】
本発明は、このような従来の技術に存在する問題点に着目して成されたものであり、その目的は、車両が屋内の場所で充電される場合においても、外部電源を利用して車両に屋外の環境条件に合致した好ましい量の熱エネルギーの蓄積を行うことが可能となる車両用熱管理装置を提供することにある。
【０００６】
従来技術として列挙された特許文献の記載内容は、この明細書に記載された技術的要素の説明として、参照によって導入ないし援用することができる。
【課題を解決するための手段】
【０００７】
本発明は上記目的を達成するために、下記の技術的手段を採用する。すなわち、本願に記載の発明では、蓄電池（２）の電力を用いて走行する車両（１）の車両用熱管理装置であって、車両内部に設けられ熱エネルギーを蓄積する熱エネルギー蓄積機器（２０）と、車両外部の電源である外部電源（３０）に接続された充電ケーブル（４）および充電装置（６）を用いて熱エネルギー蓄積機器（２０）に熱エネルギーを蓄積する車両（１）に搭載された温調部（１２、３１、１５、１７）と、熱エネルギー蓄積機器（２０）に蓄積された熱エネルギーを利用して車両（１）の車室内を空調する車室内空調部（１２、２２、２３）と、充電ケーブルが車両に結合された状態で温調部（１２、３１、１５、１７）を介して熱エネルギー蓄積機器の温度を車両内のセンサ情報以外の外部情報を利用して制御する温調制御部（１００）と、を備えたことを特徴としている。
【０００８】
この発明によれば、充電ケーブルと充電装置と外部電源を用いて熱エネルギー蓄積機器に熱エネルギーを蓄積し、この蓄積された熱エネルギーを利用して車室内空調部による空調のアシストを行うことができる。従って、空調のために車載エネルギー（車両駆動用の蓄電池の電力量等）を使用する量を減らせるから、走行可能距離を延ばすことができる。また、熱エネルギーの蓄積量に係る熱エネルギー蓄積機器の温度を車両内のセンサ情報によらず外部情報を利用して制御するから、車両が屋内駐車場等に置かれた状態に置いても熱エネルギーの蓄積量を適切な量に管理することができる。
【０００９】
本願に記載の発明では、熱エネルギー蓄積機器（２０）は、蓄電池（２）から成り、該蓄電池（２）は電池セルの集合体ならびに電池セルの集合体を収容する容器から成ることを特徴としている。
【００１０】
この発明によれば、熱エネルギー蓄積機器を、電池セルの集合体ならびに電池セルの集合体を収容する容器の熱容量を利用して構成できるから、特別な機器を追加する必要が無い。
【００１１】
本願に記載の発明では、熱エネルギー蓄積機器（２０）の温度は、外部情報から得られた外気温度と日射量とに相関のある物理情報に基づいて、温調部（１２、３１、１５、１７）によって制御され、外部情報により外気温度が高く、かつ日射量が多いと判定されたときに熱エネルギー蓄積機器に蓄積される温度が低い熱エネルギー量を多くし、車室内空調部の冷房をアシストする量を多めに設定し、外気温度が低く、かつ日射量が少ないと判定されたときに熱エネルギー蓄積機器に蓄積される温度が高い熱エネルギー量を多くし、車室内空調部の暖房をアシストする量を多めに設定することを特徴としている。
【００１２】
この発明によれば、外気温度が高く、かつ日射量が多いときに熱エネルギー蓄積機器に蓄積される熱エネルギー（冷熱エネルギー）を多くし、車室内空調部の冷房をアシストする量を多めに設定できる。あるいは、外気温度が低く、かつ日射量が少ないときに熱エネルギー蓄積機器に蓄積される熱エネルギー（温熱エネルギー）を多くし、車室内空調部の暖房をアシストする量を多めに設定できる。
【００１３】
本願に記載の発明では、物理情報に関連して温調制御部（１００）の運転モードを、熱エネルギー蓄積機器（２０）に温度が高い熱エネルギーを蓄積する蓄熱モードと、熱エネルギー蓄積機器（２０）を所定の温度範囲内に維持する温調モードと、熱エネルギー蓄積機器に温度が低い熱エネルギーを蓄積する蓄冷モードとのいずれかに切替えることを特徴としている。
【００１４】
この発明によれば、外気温度と日射量とに関連して温調制御部の運転モードを切替えるから、その時点の外気温度と日射量に見合った熱エネルギー量を蓄えることができる。
【００１５】
本願に記載の発明では、外気温度が第１所定値（ｔ１℃）より低い場合は、日射量が大きくなるほど温調モードに設定される割合を多くし、外気温度が第１所定値（ｔ１℃）より高温の第２所定値（ｔ２℃）より更に高い場合は、日射量が大きくなるほど蓄冷モードに設定される割合を多くすることを特徴としている。
【００１６】
この発明によれば、外気温度が第１所定値より低い場合は、日射量が大きくなるほど温調モードに設定される割合を多くするから、蓄熱の必要が少ない場合に、無駄な蓄熱を防止できる。従って、熱エネルギー蓄積機器が電池セル等の機器から成り、電池セル等機器の熱容量を利用して蓄熱する場合においては、電池セル等機器の温度を必要以上に上げすぎることが無く、電池セル等機器の寿命を無駄に劣化させることが無い。また、外気温度が第２所定値より高い場合は、日射量が大きくなるほど蓄冷モードに設定される割合を多くするから、例えば、夏場の暑い日射量の多いときに、蓄冷モードを多用して車室内冷房用の冷熱エネルギーを熱エネルギー蓄積機器に多く蓄えることができる。
【００１７】
本願に記載の発明では、車両が置かれた建屋の外部に設けられた太陽電池（３）から外部情報が車両内に取り込まれ、外気温度と日射量とに相関のある物理情報は、太陽電池（３）の発電量および太陽電池が持つ太陽光パネル（９）の温度に基づいて算出されることを特徴としている。
【００１８】
この発明によれば、太陽電池の発電量および太陽光パネルの温度に基づいて、車両が屋内等に駐車されている場合においても、外気温度と日射量とに相関のある物理情報を正確に計測できる。換言すれば車両が屋根の内側に位置していても、常時屋根の外側に設置されている太陽電池の発電量および太陽光パネルの温度を制御に活用することができる。なお、発電量は日射量と発電効率に影響する太陽光パネルの温度の関数として把握される。よって、発電量および太陽光パネルの温度が判明すれば、日射量と外気温度（太陽光パネルの温度またはその関数）が判明する。従って、太陽電池からの情報で熱エネルギー蓄積機器の温度が好ましい量に制御され、蓄えられるエネルギー量を外気温度と日射量とに相関のある物理情報に応じた好ましい量にすることができる。
【００１９】
本願に記載の発明では、温調部（１２、３１、１５、１７）と、車室内空調部（１２、３１、１５、１７）とは、熱エネルギー蓄積機器（２０）を加熱または冷却する媒体が流れる流路（２５）と、媒体と熱交換する凝縮器（１５）と、外部電源（３０）を用いて駆動され、凝縮器（１５）に冷媒を圧送し、凝縮器（１５）を加熱する電動圧縮機（１２）と、凝縮器（１５）を経由した冷媒を膨張させる膨張手段（１６）と、膨張手段（１６）を経由した冷媒と媒体とを熱交換する冷却器（１７）と、冷却器（１７）または凝縮器（１５）を流れる媒体と外部空気の間で熱交換を行う外部熱交換器（１８）と、熱エネルギー蓄積機器（２０）を流れる媒体を凝縮器（１５）に流すか冷却器（１７）に流すかを切替え、かつ外部熱交換器（１８）を流れる媒体を冷却器（１７）に流すか凝縮器（１５）に流すかを切替える流路切替手段（２１）と、凝縮器（１５）を流れる媒体の熱により車室内を暖房する暖房手段（２２）と、冷却器（１７）を流れる媒体の熱、または、冷却器（１７）と並列に流れる冷媒の熱により、車室内を冷房する冷房手段（２３）と、を備えることを特徴としている。
【００２０】
この発明によれば、外部電源で電動圧縮機を駆動させて、熱エネルギー蓄積機器を、凝縮器に流れる媒体で加熱したり冷却器を流れる媒体で冷却したりすることができる。従って、熱エネルギー蓄積機器内に外部電源からの熱エネルギーを予め蓄積しておくことができる。そして熱エネルギーが予め蓄積された熱エネルギー蓄積機器を流れる媒体を凝縮器に流すか冷却器に流すかを切替えて、熱エネルギー蓄積機器内の蓄積エネルギーで凝縮器の加熱を補助（アシスト）したり冷却器の冷却を補助したりすることができる。また、凝縮器を流れる媒体の温度および冷却器を流れる媒体の温度または冷却器と並列に流れる冷媒よって車室内を空調できる。従って、熱エネルギー蓄積機器を加熱または冷却して熱エネルギー蓄積機器に熱エネルギーを蓄積し、この蓄積された熱エネルギーを利用して車室内の空調をアシストすることができる。
【００２１】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２２】
【図１】本発明の第１実施形態における車両用熱管理装置の概略構成を示す全体構成図である。
【図２】上記実施形態において、車両が建屋内に収容された状態を示す全体構成図である。
【図３】上記実施形態における車両用熱管理装置の構成を示す冷媒および媒体の回路図である。
【図４】上記車両用熱管理装置の蓄熱作動パターンを示す冷媒および媒体の回路図である。
【図５】上記車両用熱管理装置の蓄熱利用作動パターンを示す冷媒および媒体の回路図である。
【図６】上記車両用熱管理装置の蓄冷作動パターンを示す冷媒および媒体の回路図である。
【図７】上記車両用熱管理装置の蓄冷利用作動パターンを示す冷媒および媒体の回路図である。
【図８】上記車両用熱管理装置の運転モードと外気温度と日射量との関係を示すマップである。
【図９】上記車両用熱管理装置の運転モードの学習を示すマップである。
【図１０】本発明の第２実施形態における車両用熱管理装置の冷媒および媒体の回路図である。
【図１１】本発明の第３実施形態における車両用熱管理装置の概略構成を示す全体構成図である。
【図１２】本発明の第４実施形態における車両用熱管理装置の概略構成を示す全体構成図である。
【図１３】本発明の第５実施形態における車両用熱管理装置の概略構成を示す全体構成図である。
【発明を実施するための形態】
【００２３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２４】
各実施形態で具体的に組合せが可能であることを明示している部分同士の組合せばかりではなく、特に組合せに支障が生じなければ、明示していなくても実施形態同士を部分的に組合せることも可能である。
【００２５】
（第１実施形態）
以下、本発明の第１実施形態について図１ないし図９を用いて詳細に説明する。図１は、蓄電池２の電力を用いて走行する車両１を充電する車両用熱管理装置の概略構成を示している。車両１は車両内部の蓄電池２に充電された電力を利用して走行可能な電気自動車（ＥＶまたはＰＨＶとも呼ばれる）である。この蓄電池２は、熱エネルギーを蓄積する熱エネルギー蓄積機器２０とも成る。
【００２６】
図１では車両外部の電源である外部電源３０を成す、特に、太陽電池３に接続された充電ケーブル４を介して、充電装置６を用いて車両内の蓄電池２が充電されると共に、蓄電池２が兼ねる熱エネルギー蓄積機器２０に熱エネルギーを外部電源３０が用いられて蓄積している。このために、車両内部に設けられた図１には示されない温調部が使用される。図１および図２は、ショッピングセンター等で急速受電される場合を想定しているが、充電装置６は、急速充電装置でなくても良い。
【００２７】
車両１に乗員が乗り込むと、熱エネルギー蓄積機器２０に蓄積された熱エネルギーを利用して車両１の車室内５を空調することができる。この空調のために、車両内に設けられた図１および図２には示されない車室内空調部が使用される。
【００２８】
また、温調部を制御して蓄電池２から成る熱エネルギー蓄積機器２０の温度を制御し、熱エネルギー蓄積機器２０に蓄積される熱エネルギーを制御する温調制御部を車両内に備える。具体的には、蓄電池２が車両の温調部により温度調節される。この温調制御部はエアコンＥＣＵと呼ばれる後述（図３）の空調制御装置１００内に設けられている。また、この空調制御装置１００には、太陽電池等からの外部情報、車両内のセンサ群からの情報が入力されている。また、空調制御装置１００は、車両内の空調操作パネル（操作表示パネル）との間で情報の入出力を行っている。
【００２９】
熱エネルギー蓄積機器２０は、蓄電池２の持つ熱容量を利用して熱エネルギーを蓄積する。また、この蓄電池２は、電池セルの集合体ならびに電池セルの集合体を収容する容器から構成されている。
【００３０】
図２は、車両１が屋根７のある建屋内に収容された状態で充電される状態を示している。熱エネルギー蓄積機器２０に蓄積される熱エネルギーの量を表す熱エネルギー蓄積機器２０の温度は、車両外部の外気温度と日射量とに相関のある物理情報に基づいて制御される。そして、外気温度と日射量とに関連して温調制御部の運転モードが、熱エネルギー蓄積機器２０に蓄熱する蓄熱モード（蓄電池２を４０℃に維持）と、熱エネルギー蓄積機器を所定の温度範囲内に維持する温調モード（蓄電池２を２０℃〜２５℃に維持）と、熱エネルギー蓄積機器に車両の室内温度よりも温度が低い熱エネルギーを蓄積（蓄冷と称する）する蓄冷モード（蓄電池２を１０℃に維持）のいずれかに切替えられる。
【００３１】
これにより、外気温度が第１所定値より低い場合（低温時）は、日射量が大きくなるほど温調モードに設定される割合を多くし、外気温度が第２所定値より高い場合（高温時）は、日射量が大きくなるほど蓄冷モードに設定される割合を多くするように制御される。
【００３２】
また、車両の乗員の空調操作を学習し、この学習結果に基づいて、外気温度と日射量とに関連する蓄熱モードと温調モードと蓄冷モードとから成る運転モードの切替えを行う。そして、上記学習結果に基づいて、予め設定された外気温度と日射量とに係る既定値（マップまたは制御マップとも言う）を変更する。
【００３３】
図１および図２のように、外部電源３０は、太陽光パネル９を用いた太陽電池３から電力を得るものである。太陽光パネル９は家屋の屋根の上等に設けられている。更に、外気温度と日射量とに相関のある物理情報は、太陽電池３の発電量および太陽光パネルの温度に基づいて算出される。この算出は、車両１内で行っても、充電装置６内等で行っても良い。
【００３４】
これにより、車両１が屋根７の内側に位置していても、常時屋根７の外側に設置されている太陽電池３の発電量および太陽光パネル９の温度を蓄電池２の温度制御に活用することができる。なお、発電量は日射量と効率に影響する太陽光パネル９の温度の関数として把握される。よって、発電量および太陽光パネル９の温度が判明すれば、日射量と外気温度（太陽光パネル９の温度またはその関数）が判明する。そして、車両１が外部電源３０から充電中、もしくは、外部電源３０と接続中において、蓄電池２の温度は、日射量と外気温度に係る外部の気象情報に基づいて、温調部により所定温度に保たれる。
【００３５】
図３は、車両１内の温調部と車室内空調部との構成を示している。温調部は、車室内空調部の一部から成り、冷媒が流れる機器となる例えば電動圧縮機１２が温調部と車室内空調部とで共用され一体化されている。そして、蓄電池２（熱エネルギー蓄積機器２０）に蓄えた冷熱または温熱により車室内の空調をアシストすることが可能になっている。
【００３６】
以下、温調部と、車室内空調部との構成を具体的に図３に基づいて説明する。熱エネルギー蓄積機器２０となる蓄電池２の容器内には、ブラインからなる媒体の流路を成す配管２５が接続されていて、この配管を介して、ブラインが蓄電池２の容器内に流れ込む。この媒体により、蓄電池２からなる熱エネルギー蓄積機器２０が加熱または冷却される。
【００３７】
媒体が内部に流れこみ、かつ冷媒も内部を流れる凝縮器１５（液冷コンデンサとも呼ばれる）が設けられている。凝縮器１５では、電動圧縮機１２により加圧加熱された冷媒が流れ、冷媒と媒体とが熱交換する。また、外部電源３０の電力を用いて駆動され、凝縮器１５に冷媒を圧送し、凝縮器１５を加熱する電動圧縮機１２が冷媒回路に設けられている。
【００３８】
電動圧縮機１２から凝縮器１５を経由した冷媒は、当該冷媒を膨張させる膨張手段１６を成す膨張弁１６に導かれている。膨張弁１６を経由した冷媒は冷媒が蒸発して気化熱をうばう冷却器１７（チラーまたは液冷蒸発器とも呼ばれる）に導かれる。この冷却器１７には媒体が流れ込み、媒体と冷媒とが熱交換する。換言すれば、媒体は冷却器１７で冷却される。
【００３９】
冷却器１７または凝縮器１５を流れる媒体と外部空気との間で熱交換を行う外部熱交換器１８が、車両内において車両外部に臨む部分に設けられている。また、蓄電池２から成る熱エネルギー蓄積機器２０を流れる媒体を、凝縮器１５に流すか冷却器１７に流すかを切替え、かつ外部熱交換器１８を流れる媒体を、冷却器１７に流すか凝縮器１５に流すかを切替える２組の切替弁（２組の４方弁）から成る流路切替手段２１が設けられている。この切替弁２１は、第１切替弁２１ａと第２切替弁２１ｂとから成り、それぞれ複数の電磁弁で構成することができる。
【００４０】
凝縮器１５を流れる媒体の温熱により車室内を暖房する暖房手段をなす車室内暖房用熱交換器（ヒータコア）２２が、空調風が流れる図示しない空調ダクト内に設けられている。図示しないブロワにより、車室内の循環空気または車外空気が空調風と成って暖房手段２２をなす車室内暖房用熱交換器２２に流されて、吹出口を介して車室内に吹出される。また、冷却器１７を流れる媒体の冷熱により車室内を冷房する冷房手段２３を成す車室内冷房用熱交換器（クーラコア）２３が設けられている。図示しないブロワにより、車室内の循環空気または車外空気が、冷房手段２３をなす車室内冷房用熱交換器２３に流されて空調風となり吹出口を介して車室内に吹出される。
【００４１】
このように、暖房手段２２は、凝縮器１５を通過した媒体で加熱されて空調風と熱交換する室内暖房用熱交換器２２から成り、冷房手段２３は、冷却器１７を通過した媒体で冷却されて空調風と熱交換する室内冷房用熱交換器２３から成る。車室内を暖房する暖房運転と車室内を冷房する冷房運転とが、空調制御装置（エアコンＥＣＵ）１００によって切替え制御され、かつ、この空調制御装置１００によって、ブロア風流が制御され、また、空気の流れを暖房手段２２と冷房手段２３のいずれかに切替える図示しないエアミックスダンパの動きが空調ダクト内で制御される。
【００４２】
熱エネルギー蓄積機器２０となる蓄電池２の容器内には、複数の電池セルが直列または並列に接続されている。媒体となるブラインが流れる配管２５が、蓄電池２の容器に接続されている。ブラインと電池セルの電極との絶縁が必要なため、電池セルおよび電気ターミナルは、完全にブラインに接液しないようにされている必要がある。
【００４３】
このために、電池セルの電極を樹脂モールドして絶縁している。別の構造としては、電池セルおよび電気ターミナルが完全にブラインと接液しないように、電池セルの集合体をブラインが流通する蓄電池内熱交換器上に配置し、この蓄電池内熱交換器を介して電池セルの集合体を冷却または加熱する構造がある。いずれにしても、これにより、蓄電池２をブラインと熱交換する熱エネルギー蓄積機器２０として使用できる。
【００４４】
外部熱交換器１８には、三方電磁弁２６を介してバイパス回路２７が設けられている。これにより、外部熱交換器１８をバイパスしてブラインを流すことにより、外部熱交換器１８と外部空気との熱交換量を三方電磁弁２６の操作により制御することができる。
【００４５】
なお、凝縮器１５と冷却器１７とは、ヒートポンプとして作動するため、電動圧縮機１２の作動により凝縮器１５で充分な凝縮熱を発生させるためには、冷却器１７で冷媒が充分に気化し熱を汲み出す必要がある。また、電動圧縮機１２の作動により冷却器１７を充分な気化熱により冷却するためには、凝縮器１５で冷媒が充分に凝縮し液化する必要がある。
【００４６】
また、制御手段を成す空調制御装置１００は、切換弁２１ａ、２１ｂ、電動圧縮機１２、三方電磁弁２６、蓄電池循環ポンプ３１、外部熱交換器循環ポンプ３２、および、図示しない空調ダクト内のエアミックスダンパ等を制御し、太陽電池３の発電量、太陽光パネル９の温度、車載された外気温センサ、日射センサ、および車室内センサ等の各種センサからの値がセンサ群１０１から入力される。
【００４７】
更に、ユーザの操作入力である設定温度およびブロワ風量の指示値等が操作手段を成す操作表示パネル１０２から空調制御装置１００内に入力される。なお、図３では、空調制御装置１００から切換弁２１ｂへの制御入力を矢印で示しているが、他の機器（蓄電池循環ポンプ３１等）の制御入力の矢印は図示を省略している。
【００４８】
以下、図４から図７を用いて、車両用熱管理装置の作動を説明する。
（蓄熱作動パターン）
図４は、蓄電池２に温調部の作動で蓄熱する蓄熱作動パターンを図示している。蓄電池循環ポンプ３１により、ブラインは蓄電池２→切替弁２１ａ→凝縮器１５→車両室内暖房用熱交換器２２→切替弁２１ｂ→蓄電池循環ポンプ３１のように流れる。電動圧縮機１２は外部電源３０により駆動され、冷媒を加圧して凝縮器１５に送り込み、凝縮器１５での凝縮熱によりブラインから成る媒体を加熱する。更に、冷媒は膨張弁１６と冷却器１７とを経由して電動圧縮機１２に戻る。
【００４９】
ブラインは不凍液からなり、蓄電池循環ポンプ３１により、蓄電池２内に導かれ、蓄電池２を加熱して、日射量と外気温度に係る所望温度に蓄電池２内のサーミスタの温度を上昇させる。この場合、流路切替手段２１を成す切替弁２１ａ、２１ｂは、図４のように流路を接続しており、外部熱交換器１８（吸熱器として作動）には、媒体となるブラインを外部熱交換器１８→切替弁２１ａ→冷却器１７→車室内冷房用熱交換器２３→切替弁２１ｂ→外部熱交換器循環ポンプ３２と経由して流す。
【００５０】
これによって、外部熱交換器１８は、外部空気から吸熱し、吸熱したブラインは、冷却器１７に流れるので、外部熱交換器１８が外部空気から吸熱した熱を冷却器１７によって汲み上げ、凝縮器１５を充分に高熱とし、更に高温に成ったブラインを介して蓄電池２を４０℃に維持する。
（蓄熱利用作動パターン）
図５は、蓄電池２内に蓄熱されたエネルギーが、車室内の空調に利用される蓄熱利用作動パターンを図示している。蓄電池循環ポンプ３１により、ブラインは、蓄電池２→切替弁２１ａ→冷却器１７→車両室内冷房用熱交換器２３→切替弁２１ｂ→蓄電池循環ポンプ３１のように流れる。電動圧縮機１２は、外部電源３０により駆動され、冷媒を加圧して凝縮器１５を通り、更に膨張弁１６で膨張した冷媒を、蒸発器１７を成す冷却器１７に送り込み、冷却器１７により、ブラインを介して、４０℃に蓄熱されていた蓄電池２の熱を汲み上げる。
【００５１】
このとき、ブラインは、蓄電池循環ポンプ３１により、蓄電池２内に導かれ、予め蓄熱されている蓄電池２によって加熱される。これによって、蓄電池２で加熱されたブラインの熱を冷却器１７が汲み上げるため、電動圧縮機１２の回転により、凝縮器１５を６５℃〜７０℃まで加熱することができる。
【００５２】
従って、凝縮器１５を通るブラインで、充分に車室内暖房用熱交換器２２を加熱することができる。この場合、流路切替手段２１を成す切替弁２１ａ、２１ｂは、図５のように流路を接続しており、ブラインをバイパス回路２７→切替弁２１ａ→凝縮器１５→車室内暖房用熱交換器２２→切替弁２１ｂ→外部熱交換器循環ポンプ３２と経由して流し、外部熱交換器１８でブラインが冷却されるのを防止する。これにより、蓄電池２に蓄熱した温熱エネルギーで、車室内の暖房のアシストが可能に成り、走行用バッテリとも成る蓄電池２のエネルギーを極力使用しないため、走行距離を延ばすことができる。
（蓄冷作動パターン）
図６は、蓄電池２に温調部の作動で蓄冷する蓄冷作動パターンを図示している。蓄電池循環ポンプ３１により、ブラインは、蓄電池２→切替弁２１ａ→冷却器１７→車両室内冷房用熱交換器２３→切替弁２１ｂ→蓄電池循環ポンプ３１のように流れる。電動圧縮機１２は、外部電源により駆動され、冷媒を加圧して凝縮器１５に送り込み、凝縮器１５での凝縮熱により、ブラインから成る媒体を加熱する。冷媒は、膨張弁１６と冷却器１７とを経由して、冷却器１７で気化熱を奪い、冷却器１７内のブラインを冷却して電動圧縮機１２に戻る。
【００５３】
冷却器１７で冷却されたブラインは、蓄電池循環ポンプ３１により、蓄電池２内に導かれ、蓄電池２内を冷却して、日射量と外気温度に係る所望温度に蓄電池２内のサーミスタの温度を下降させる。このとき、冷却器１７で冷熱を汲み上げ、凝縮器１５と外部熱交換器１８を介して外気に熱を放熱する。
【００５４】
この場合、流路切替手段２１を成す切替バルブ２１ａ、２１ｂは、図６のように流路を接続しており、外部熱交換器１８（放熱器として作動）には、ブラインが、外部熱交換器１８→切替弁２１ａ→凝縮器１５→車室内暖房用熱交換器２２→切替弁２１ｂ→外部熱交換器循環ポンプ３２と経由して流れる。これによって、外部熱交換器１８は、外部空気に対して放熱し、放熱されたブラインは、凝縮器１５に流れるので、冷媒の流路からなる冷凍サイクルは、効率よく冷却器１７を冷却し、ブラインを介して蓄電池２に蓄冷する。
【００５５】
そして、蓄電池２は、例えば１０℃に維持される。なお、この実施形態においては、蓄冷中において、車室内をプレ空調することはしない。車室内は、乗員が乗り込んでから蓄電池２に蓄冷した冷熱エネルギーを利用して冷房（暖房）したほうが効率良く冷房（暖房）できる場合があるからである。
【００５６】
しかし、この実施形態において、プレ空調を実施するように変形することが可能であるのは勿論である。特に、蓄熱から乗員乗車までの時間が所定待機時間より短いと予想される場合は、蓄熱と同時に外部電源でプレ空調も行い車室内も充分に冷房（または暖房）しておくことが望ましい。蓄熱から乗員乗車までの時間が所定待機時間より長く予定が決められている場合は、プレ空調を行っても乗員乗車までに放熱してしまうため、プレ空調を行わず蓄熱のみ行うようにしてもよい。更に、蓄電池等の熱エネルギー蓄積機器は断熱材で覆い放熱を防ぐことが望ましい。
（蓄冷利用作動パターン）
図７は、蓄電池２に蓄冷されたエネルギーが、車室内の空調に利用される蓄冷利用作動パターンを図示している。蓄電池循環ポンプ３１により、ブラインは、蓄電池２→切替弁２１ａ→凝縮器１５→車両室内暖房用熱交換器２２→切替弁２１ｂ→蓄電池循環ポンプ３１のように流れる。電動圧縮機１２は、外部電源３０により駆動され、冷媒を加圧して凝縮器１５に送り、更に膨張弁１６で膨張した冷媒を冷却器１７に送り込む。
【００５７】
ブラインは、蓄電池循環ポンプ３１により、蓄電池２内に導かれ、予め冷却された蓄電池２によって冷却される。これによって、冷却されたブラインが、凝縮器１５を通過して凝縮器１５の熱を奪うため、凝縮器１５の放熱をアシストし、電動圧縮機１２の回転により充分に冷却器１７を冷却することができる。
【００５８】
この場合、流路切替手段２１を成す切替弁２１ａ、２１ｂは、図７のように流路を接続しており、ブラインが、バイパス回路２７→切替弁２１ａ→冷却器１７→車室内冷房用熱交換器２３→切替弁２１ｂ→外部熱交換器循環ポンプ３２と経由して流れる。
【００５９】
これによって、蓄電池２に予め蓄冷された蓄冷熱量によって、凝縮器１５の放熱がアシストされ、冷却器１７内で充分に冷媒が気化し、冷却器１７で冷却されたブラインが、車室内冷房用熱交換器２３に流れるので、充分に車室内冷房用熱交換器２３で空調風を冷却することができる。また、冷却されたブラインが、外部熱交換器１８で放熱しないように、バイパス回路２７をブラインが流れる。このために、三方電磁弁２６が空調制御装置１００により制御される。
（外気温度と日射量とによる運転切替え）
図８は、外気温度と日射量とによる運転切替えパターンを図示し、横軸に太陽光パネル９の温度から導かれた外気温度、縦軸に太陽電池３の発電量から導かれた日射量を示している。蓄電池２は、熱エネルギーを蓄積する熱エネルギー蓄積機器２０とも成り、蓄熱モードでは、蓄電池２の温度が例えば４０℃に加熱され蓄電池に蓄熱される。温調モードでは、蓄電池２の温度が、例えば２０℃〜２５℃の範囲内になるように調整される。また、蓄冷モードでは、蓄電池２が冷却され蓄電池２の温度が例えば１０℃に維持される。
【００６０】
図８において、日射量が無く、外気温度がｔ３より高い場合は、蓄冷モードが選択され、外気温度がｔ１〜ｔ３の間は温調モードが選択され、外気温度がｔ１より低いときは、蓄熱モードが選択される。
【００６１】
外気温度が第１所定値（ｔ１℃）より低い場合は、日射量が大きくなるほど温調モードに設定される割合を多くし、外気温度が第２所定値（ｔ２℃）より高い場合は、日射量が大きくなるほど蓄冷モードに設定される割合を多くしている。
【００６２】
これによれば、外気温度が第１所定値（ｔ１℃）より低い場合は、日射量が大きくなるほど温調モードに設定される割合を多くするから、蓄熱の必要が少ない場合の無駄な蓄熱作動を防止できる。また、外気温度が第２所定値（ｔ２℃）より高い場合は、日射量が大きくなるほど蓄冷モードに設定される割合を多くするから、例えば、夏場の暑い日射量の多いときに蓄冷モードを多用して、車室内冷房用の熱エネルギー（冷熱エネルギー）を熱エネルギー蓄積機器２０と成る蓄電池２に多く蓄えることができる。
（運転切替え学習）
図９は、運転切替えを学習するパターンを図示している。基本的には予め定めた既定値（デフォルト値）として図９のマップが制御手段を成す空調制御装置１００内のメモリに記憶されている。車両の乗員の空調操作を学習し、この学習結果に基づいて、蓄熱モードと温調モードと蓄冷モードとの切替えに関与する予め設定された外気温度と日射量とに係る既定値（マップ）を変更し、図９のように、蓄冷モードと温調モードとの間の判断境界ラインＬ９１および温調モードと蓄冷モードとの間の判断境界ラインＬ９２が図９の左右に動くようにマップを変更することができる。なお、判断境界ラインの平行移動でなく、判断境界ラインの傾き角を変更しても良い。
【００６３】
これによれば、空調操作の学習結果に基づいて、蓄熱モードと温調モードと蓄冷モードとの切替えに関与する既定値を変更するから、乗員の好みに合致した空調性能が得られ、かつ、その時点の外気温度と日射量に見合った熱エネルギー量を熱エネルギー蓄積機器２０に蓄えることができる。
【００６４】
例えば、蓄冷モードで蓄冷した後に、車両が走行を始めてから所定期間内において、乗員が空調の設定温度を下げる操作を行うようであれば、より車室内温度が低下する状態をユーザが欲していると判断し、蓄冷モードでの熱エネルギーの蓄冷量が増加するように、つまり蓄冷モードの領域が増加するように判断境界ラインＬ９２が図９の左方に移動するように、既定値（マップ）を変更させる。
【００６５】
また、逆に、上記所定期間内において、乗員が空調の設定温度を上げる操作を行うようであれば、一層車室内温度が上昇する状態をユーザが欲していると判断し、蓄冷モードでの熱エネルギーの蓄冷量が減少するように、つまり、判断境界ラインＬ９２が図９の右方に移動するように、既定値を変更させる。
【００６６】
更に、例えば、蓄熱モードで蓄熱した後に、車両が走行を始めてから所定期間内において、乗員が空調の設定温度を上げる操作を行うようであれば、より車室内温度が上昇する状態をユーザが欲していると判断し、蓄熱モードでの熱エネルギーの蓄熱量が増加するように、つまり、判断境界ラインＬ９１が図９の右方に移動するように、既定値を変更させる。また、逆に、上記所定期間内において、乗員が空調の設定温度を下げる操作を行うようであれば、より車室内温度が下降する状態をユーザが欲していると判断し、蓄熱モードでの熱エネルギーの蓄熱量が減少するように、つまり、判断境界ラインＬ９１が図９の左方に移動するように、既定値を変更させる。
（第１実施形態の作用効果）
上記実施形態によれば、車両が屋内駐車場のような外部の気象情報（外気温度や日射量）がモニタリングできない状態にある場合において、太陽光パネルから取得したデータを基に、外部の気象情報（外気温度や日射量）を正確に把握することができる。
【００６７】
このことにより、車両のユーザが走行中に設定する空調条件を予測し、蓄電池を冷やしておくか、暖めておくかを判断し、ユーザ使用時に蓄電池から持ち出される空調用の電力を最小化し、電気自動車等の走行可能距離を延ばすことができる。この装置は、個々の家庭に充電装置が充実し、屋内駐車場に車両が置かれて充電する場合や、大型ショッピングセンターの立体駐車場または地下駐車場等に急速充電装置が設置されている場合に有益である。
【００６８】
また、第１実施形態の車両用熱管理装置は、蓄電池の電力を用いて走行する車両の車両用熱管理装置を構成し、車両内部に設けられ熱エネルギーを蓄積する熱エネルギー蓄積機器と、車両外部の電源である外部電源に接続された充電ケーブルおよび充電装置を用いて熱エネルギー蓄積機器に蓄積する温調部と、熱エネルギー蓄積機器に蓄積された熱エネルギーを利用して車両の車室内を空調する車室内空調部と、温調部を制御して熱エネルギー蓄積機器の温度を制御し熱エネルギー蓄積機器に蓄積される熱エネルギーを制御する温調制御部とを備えている。
【００６９】
これによれば、充電ケーブルと充電装置と外部電源とを用いて、熱エネルギー蓄積機器に熱エネルギーを蓄積し、この蓄積された熱エネルギーを利用して、車室内空調部による空調のアシストを行うことができる。従って、空調のために車載エネルギー（車両駆動用の蓄電池の電力量等）を使用する量を減らせるから、走行可能距離を延ばすことができる。
【００７０】
熱エネルギー蓄積機器は、蓄電池、熱媒体（水等）を蓄える熱媒体収納容器、および、化学的に熱エネルギーを蓄える蓄熱剤または蓄冷剤を有する蓄熱器（蓄冷剤を有するものを蓄冷器と称することもある）のいずれかから構成してもよい。従って、蓄電池、熱媒体収納容器、および、蓄熱器（蓄冷器）のいずれかにより、熱エネルギーを蓄えることもできる。
【００７１】
特に、熱エネルギー蓄積機器は、蓄電池から成り、該蓄電池は電池セルの集合体ならびに電池セルの集合体を収容する容器から成る。これによれば、熱エネルギー蓄積機器を、電池セルの集合体ならびに電池セルの集合体を収容する容器の熱容量を利用して構成できるから、特別な機器を追加する必要が無い。
【００７２】
熱エネルギー蓄積機器に蓄積される熱エネルギーの量を表す熱エネルギー蓄積機器の温度は、車両外部（屋外）の外気温度と日射量とに相関のある物理情報に基づいて制御される。従って、外気温度が高く、かつ日射量が多いときに熱エネルギー蓄積機器に蓄積される熱エネルギー（冷熱エネルギー）を多くし、車室内空調部の冷房をアシストする量を多めに設定できる。あるいは、外気温度が低く、かつ日射量が少ないときに熱エネルギー蓄積機器に蓄積される熱エネルギー（温熱エネルギー）を多くし、車室内空調部の暖房をアシストする量を多めに設定できる。
【００７３】
外気温度と日射量とに関連して、温調制御部の運転モードを、熱エネルギー蓄積機器に蓄熱する蓄熱モードと、熱エネルギー蓄積機器を所定の温度範囲内に維持する温調モードと、熱エネルギー蓄積機器に蓄冷する蓄冷モードのいずれかに切替える。これによれば、その時点の外気温度と日射量とに見合った熱エネルギー量を蓄えることができる。
【００７４】
外気温度と日射量とで運転切替えを行う具体例は次のようになされる。外気温度が、図８の第１所定値ｔ１より低い場合は、日射量が大きくなるほど温調モードに設定される割合が多くされ、外気温度が第２所定値ｔ２より高い場合は、日射量が大きくなるほど蓄冷モードに設定される割合が多くされる。
【００７５】
これによれば、蓄熱の必要が少ない場合に、無駄な蓄熱を防止できる。また、例えば、夏場の暑い日射量の多いときに、蓄冷モードを多用して車室内冷房用の熱エネルギー（冷熱エネルギー）を熱エネルギー蓄積機器に多く蓄えることができる。
【００７６】
また、運転モードの切替えは、車両の乗員の空調操作を学習し、この学習結果に基づいて、蓄熱モードと温調モードと蓄冷モードとの切替えに関与する、予め設定された外気温度と日射量とに係る既定値（マップ）を変更しても良い。
【００７７】
これによれば、空調操作の学習結果に基づいて、蓄熱モードと温調モードと蓄冷モードとの切替えに関与する既定値を変更するから、乗員の好みに合致した空調性能が得られ、かつ、その時点の外気温度と日射量に見合った熱エネルギー量を熱エネルギー蓄積機器に蓄えることができる。
【００７８】
例えば、車両が走行を始めてから所定期間内において、乗員が空調の設定温度を下げる操作を行うようであれば、より車室内が低下する状態をユーザが欲していると判断し、蓄冷モードでの熱エネルギーの蓄冷量が増加するように、既定値を変更させることができる。
【００７９】
外気温度と日射量とに相関のある物理情報は、太陽電池の発電量および太陽光パネルの温度に基づいて算出される。従って、これによれば、太陽電池の発電量および太陽光パネルの温度に基づいて、車両が屋内等に駐車されている場合においても、外気温度と日射量とに相関のある物理情報を正確に把握できる。
【００８０】
換言すれば、車両が屋根の内側に位置していても、常時屋根の外側に設置されている太陽電池の発電量および太陽光パネルの温度を制御に活用することができる。なお、発電量は、日射量と効率に影響する太陽光パネルの温度の関数として把握される。よって、発電量および太陽光パネルの温度が判明すれば、日射量と外気温度（太陽光パネルの温度またはその関数）が判明する。従って、太陽電池からの情報で熱エネルギー蓄積機器の温度を制御することができる。
【００８１】
また、温調部は、車室内空調部の一部から成り、冷媒が流れる機器（電動圧縮機等）が、温調部と車室内空調部とで共用されている。従って、温調部と車室内空調部とが一体化されているから、全体の構成を簡素化することができる。
【００８２】
具体的には、温調部と車室内空調部とは、熱エネルギー蓄積機器に流れ込み熱エネルギー蓄積機器を加熱または冷却する媒体と、媒体と熱交換する凝縮器と、外部電源を用いて駆動され凝縮器に冷媒を圧送し凝縮器を加熱する電動圧縮機と、凝縮器を経由した冷媒を膨張させる膨張手段と、膨張手段を経由した冷媒と媒体とを熱交換する冷却器と、冷却器または凝縮器を流れる媒体と外部空気の間で熱交換を行う外部熱交換器と、熱エネルギー蓄積機器を流れる媒体を凝縮器に流すか冷却器に流すかを切替えかつ外部熱交換器を流れる媒体を冷却器に流すか凝縮器に流すかを切替える流路切替手段と、凝縮器を流れる媒体の温熱により車室内を暖房する暖房手段と、冷却器を流れる媒体の冷熱により車室内を冷房する冷房手段とを備える。
【００８３】
これによれば、乗車前の段階で、外部電源で電動圧縮機を駆動させて、熱エネルギー蓄積機器を、凝縮器に流れる媒体で加熱したり冷却器を流れる媒体で加熱したりすることができる。従って、熱エネルギー蓄積機器内に外部電源からの温熱エネルギーまたは冷熱エネルギーを予め蓄積しておくことができる。
【００８４】
そして、これらのエネルギーが予め蓄積された熱エネルギー蓄積機器を流れる媒体を、凝縮器に流すか冷却器に流すかを切替えて、熱エネルギー蓄積機器内の蓄積エネルギーで凝縮器を流れる媒体の加熱を補助したり冷却器を流れる媒体の冷却を補助したりすることができる。また、凝縮器を流れる媒体の温度および冷却器を流れる媒体の温度よって車室内を空調している。従って、熱エネルギー蓄積機器を加熱または冷却して熱エネルギー蓄積機器に熱エネルギーを蓄積し、この蓄積された熱エネルギーを利用して車室内の空調をアシストすることができる。
【００８５】
上記暖房手段は、凝縮器を通過した媒体で加熱され更に空調風と熱交換する室内暖房用熱交換器から成り、冷房手段は、冷却器を通過した媒体で冷却され空調風と熱交換する室内冷房用熱交換器から成る。従って、温調部と車室内空調部とを一体化して、蓄電池の温度調節と車室内の空調とを行うことができる。
【００８６】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。上述の第１実施形態においては、図３のように、冷却器１７を流れる媒体の冷熱により車室内を冷房する車室内冷房用熱交換器２３が設けられている。
【００８７】
以下に述べる第２実施形態においては、図１０のように、冷房手段２３を成す車室内冷房用熱交換器２３に、凝縮器１５からの冷媒を、第２膨張弁２４を介して流している。つまり第１膨張弁１６と冷却器１７の組みと第２膨張弁２４と車室内冷房用熱交換器２３との組みとが、電動圧縮機１２からの冷媒の流れに対して並列に接続されている。つまり冷却器１７と車室内冷房用熱交換器２３とはデュアルエバポレータとして機能する。また、図示しないブロワにより車室内の循環空気または車外空気（外気）が冷房手段２３をなす車室内冷房用熱交換器２３に流されて空調風となり、吹出口を介して車室内に吹出される。
【００８８】
（第３実施形態）
次に、本発明の第３実施形態について図１１を用いて説明する。上述した実施形態と異なる特徴部分を説明する。太陽光パネル９等からの情報の代わりに、気象情報データベースより、充電装置６を介して必要な情報を取得し、蓄電池２の蓄冷または蓄熱の判断に用いても良い。
【００８９】
つまり、図１１のように、外気温度と日射量とに相関のある物理情報は、車両内の通信機器（省略）と充電装置内の通信機器（省略）とを介して取得した通信ネットワーク上の情報である気象データベースからの情報に基づいて取得されても良い。
【００９０】
これによれば、車両１が屋根７のあるガレージ内等、建屋内に収容された状態で充電される状態においても、外気温度と日射量とに相関のある物理情報を、情報発信部として機能する充電装置と車両内の通信機器（無線又は有線）を介して取得した気象データベースからの情報に基づいて正確かつ容易に把握できる。
【００９１】
（第４実施形態）
次に、本発明の第４実施形態について説明する。上述した実施形態と異なる特徴部分を説明する。太陽光パネル９等の代わりに、携帯端末５１を用いても良い。つまり、図１２に示すように、外気温度と日射量とに相関のある物理情報は、気象データベースを持つ基地局５２と無線で接続される車両乗員の携帯無線端末５１を介して取得した通信ネットワーク上の情報である気象データベースからの情報に基づいて取得されても良い。
【００９２】
これによれば、車両が屋根７のある屋内に駐車されている場合においても、外気温度と日射量とに相関のある物理情報を、乗員の携帯無線端末５１を介して取得した気象データベースからの情報に基づいて正確かつ容易に把握できる。そして、車両１は、外部電源からの充電中、もしくは、充電装置６と充電ケーブル４を介して接続中に、蓄電池２の温度を外部の気象情報に基づいて、所望温度に保つことができる。
【００９３】
（第５実施形態）
次に、本発明の第５実施形態について説明する。上述した実施形態と異なる特徴部分を説明する。太陽光パネル９等の代わりに、周辺の屋外を走行または駐車している車両４０より車々間通信を利用して情報を取得し、蓄冷または蓄熱の判断を行っても良い。つまり、外気温度と日射量とに相関のある物理情報は、図示を省略した無線機により自車両と外部（屋外）の車両４０との間の車々間通信を介して取得した通信ネットワーク上の情報である気象データベースからの情報に基づいて取得されても良い。これによれば、車両が屋根７のある屋内に駐車されている場合においても屋外に位置する外部の車両との車々間通信を用いて、外気温度と日射量とに相関のある物理情報を取得できる。
【００９４】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００９５】
上記第１実施形態においては、太陽電池の電力で蓄電池を充電したが、日射量が少ないときは商用電源によって充電される。しかし、車両内の蓄電池が太陽電池の電力を利用する必要は無く、太陽電池から日射量と外気温度に係る情報である発電量と太陽光パネルの温度との情報のみを取得しても良い。つまり、太陽電池の電力は専ら売電に使用したり、家庭内や事業所内の電気負荷で使用したりして、蓄電池への充電は商用電源を充電装置内で直流に変換して行っても良い。
【００９６】
また、熱エネルギー蓄積機器は、蓄電池の代わりに、蓄熱器または蓄冷器から成る蓄熱装置を用いても良い。つまり、蓄電池の代わりに、化学反応を用いた蓄熱剤や蓄冷剤を有する蓄熱装置を用いても良い。更に、蓄電池の代わりに、冷却水を蓄える水タンク（魔法瓶等）を用いてもよい。また、これら蓄熱装置と蓄電池と両方を熱エネルギー蓄積機器としてもよい。
【００９７】
更に、蓄電池を熱エネルギー蓄積機器として利用する場合、蓄電池が１０℃程度に冷却されることは容易であるが、加熱されることは、蓄電池の寿命に影響し厳密に温度管理する必要があるため、蓄電池から成る熱エネルギー蓄積機器を、専ら冷熱エネルギーが蓄積される蓄冷装置として活用しても良い。
【００９８】
次に、熱エネルギー蓄積機器に温調部によって熱エネルギーを蓄積している間において、車室内空調部は例えばブロワを作動させず、車室内を空調しないことが好ましい。そして、ユーザが乗車する直前または乗車直後に車室内空調部を作動させたほうがよい。車室内を早めに空調しても窓ガラス等から温熱または冷熱が奪われるからである。
【００９９】
また、外部情報が適切に得られない場合は、車両に搭載された日射センサや外気温度センサのからの情報を使用してもよい。その場合は、走行中における日射量の最大値や夏季における外気温度の最大値、または冬季における外気温度の最小値を記憶しておいて使用する。また、明らかに車両が屋外の充電装置で充電していることが充電ケーブル等の識別信号等で判明するときは、車両に搭載された日射センサや外気温度センサのからの情報を使用してもよい。
【符号の説明】
【０１００】
２（２０）  蓄電池（熱エネルギー蓄積機器）
３（３０）  太陽電池（外部電源）
６  充電装置
１２、２２、２３  車室内空調部
１７  冷却器
１８  外部熱交換器
２２  暖房手段（室内暖房用熱交換器）
２３  冷房手段（室内冷房用熱交換器）
３１，１５、１７  温調部
１００  温調制御部（空調制御装置）
【図１】
2014061798.tif 000003
【図２】
2014061798.tif 000004
【図３】
2014061798.tif 000005
【図４】
2014061798.tif 000006
【図５】
2014061798.tif 000007
【図６】
2014061798.tif 000008
【図７】
2014061798.tif 000009
【図８】
2014061798.tif 000010
【図９】
2014061798.tif 000011
【図１０】
2014061798.tif 000012
【図１１】
2014061798.tif 000013
【図１２】
2014061798.tif 000014
【図１３】
2014061798.tif 000015